(57)【特許請求の範囲】
【請求項１】
密封性を保持して流体管の外周面に装着された分岐口部を有する接続ケースの上端開口部内に、流体管の一側方に偏倚させた、軸線回りに回転駆動される筒状カッターを昇降可能に挿入し、該筒状カッターの中心に下向きとして設けた案内杆を、前記接続ケース内の底部に着脱可能として立設した案内筒に嵌挿して案内させつつ、筒状カッターを下降することにより、流体管の管軸よりも外側の管壁を穿孔切断するようにした流体管の穿孔装置において、
前記案内杆及び案内筒の少なくともいずれか一方に、穿孔後においてそれら同士が互いに係合し合う係止手段を設けるとともに、筒状カッターの回転移動軌跡の内方において流体管の側端上部の外周面に固定される固定手段と案内筒の上方適所とを繋ぐ連結手段を設けたことを特徴とする流体管の穿孔装置。
【請求項２】
連結手段を長さ調整可能な金具とし、固定手段が管軸と直交する側方と上下方向とに移動可能に設けられている請求項１に記載の流体管の穿孔装置。
【請求項３】
連結手段の一部をワイヤーとし、固定手段が移動可能に設けられている請求項１に記載の流体管の穿孔装置。
【請求項４】
接続ケース内の底部に、案内筒と一体をなす受皿が設けられている請求項１ないし３のいずれかに記載の流体管の穿孔装置。
【請求項５】
受皿が接続ケースに対して回転自在に設置されるとともに、連結手段における支持部材が案内筒に対して回転自在になっている請求項４に記載の流体管の穿孔装置。
【発明の詳細な説明】
【０００１】
【産業上の利用分野】
本発明は、例えば水道本管、ガス管等の流体管に分岐管を配管するに際し、水道本管等の管壁に、この本管と分岐管とを連通させる通孔を管軸より偏心させて穿設する際に用いる流体管の穿孔装置に関する。
【０００２】
【従来の技術】
この種の穿孔装置としては、例えば特公平４−２４１６４号公報に開示されているものがある。この従来の装置を、図７を参照して簡単に説明する。
【０００３】
０１は流体管０２に、その外周面との間に水密性が保持されるように取付けられた接続ケースで、その周壁には、分岐管０３取付用の分岐口部０４が形成されている。
【０００４】
０５は、接続ケース０１の上端に取付けられた作業ケース０６に回転中心を流体管０２の外周面の外側方に偏倚させて取付けられた切断装置で、回転軸０７に取付けられた円筒形のカッター０８と、その中心に下向きとして固定された支持軸０９とを有している。
【０００５】
支持軸０１０は、接続ケース０１の底部に上向きとして着脱可能に固定された案内筒０９内に回転自在に嵌合され、下限位置まで挿入されると、抜け止めリング０１１により抜け止めがなされるようになっている。
【０００６】
案内筒０９における流体管０２の外周面と対向する側の周面には、流体管０２の外周面の端部が挿入しうる凹部０１２が形成されている。
【０００７】
上述した従来の装置において、カッター０８により切断された流体管０２の切断片０２ａは、接続ケース０１より案内筒０９の結合を解除したのち、案内筒０９をカッター０８とともに上方に引出すことにより、切断片０２ａの周面の下方部が、案内筒０９に形成した凹部０１２の下方の段部０１２ａにより支持されて上方に引き出される。
【０００８】
【発明が解決しようとする課題】
上記従来の穿孔装置では、切断片０２ａを把持するものがないため、切断終了直後に切断片０２ａが不安定となり、カッター０８と凹部０１２に挟まり抜き取りが困難となったり、またはカッター０８の回転により連れ回されて、カッター０８と干渉してこれを損傷させたりする恐れがある。
【０００９】
また、流体管０２の外周端を常に案内筒０９の凹部０１２内に位置させなければならないため、流体管０２の口径に応じて、凹部０１２の大きさ及び形状の異なる案内筒０９を複数用意しておく必要があり、部品管理が煩雑であるとともに、不経済である。
【００１０】
本発明は、上記課題に鑑みてなされたもので、切断後の切断片を安定的に保持して引出しうるようにするとともに、案内筒を交換することなく、流体管の口径に応じて保持位置を調節可能とした流体管の穿孔装置を提供することを目的とする。
【００１１】
【課題を解決するための手段】
上記課題を解決するために、本発明の流体管の穿孔装置は、密封性を保持して流体管の外周面に装着された分岐口部を有する接続ケースの上端開口部内に、流体管の一側方に偏倚させた、軸線回りに回転駆動される筒状カッターを昇降可能に挿入し、該筒状カッターの中心に下向きとして設けた案内杆を、前記接続ケース内の底部に着脱可能として立設した案内筒に嵌挿して案内させつつ、筒状カッターを下降することにより、流体管の管軸よりも外側の管壁を穿孔切断するようにした流体管の穿孔装置において、
前記案内杆及び案内筒の少なくともいずれか一方に、穿孔後においてそれら同士が互いに係合し合う係止手段を設けるとともに、筒状カッターの回転移動軌跡の内方において流体管の側端上部の外周面に固定される固定手段と案内筒の上方適所とを繋ぐ連結手段を設けたことを特徴としている。
【００１２】
本発明の流体管の穿孔装置は、連結手段を長さ調整可能な金具とし、固定手段が管軸と直交する側方と上下方向とに移動可能に設けられていることが好ましい。
【００１３】
本発明の流体管の穿孔装置は、連結手段の一部をワイヤーとし、固定手段が移動可能に設けられていることが好ましい。
【００１４】
本発明の流体管の穿孔装置は、接続ケース内の底部に、案内筒と一体をなす受皿が設けられていることが好ましい。
【００１５】
本発明の流体管の穿孔装置は、受皿が接続ケースに対して回転自在に設置されるとともに、連結手段における支持部材が案内筒に対して回転自在になっていることが好ましい。
【００１６】
【作用】
流体管の穿孔切断後に筒状カッターを上昇させると、案内杆と係合している案内筒、及び案内筒に設けた吸着手段が一体をなして上昇するので、穿孔後の切断片を容易かつ安定的に引出すことができる。
【００１７】
また、吸着手段が切断後の切断片を保持しているので、切断片が切断直後において不安定となるのが防止される。
【００１８】
【実施例】
以下、本発明の実施例を図面に基づいて説明する。図３に略示するように、本発明は、水道本管等の流体管１の外周面に公知の接続ケース２を、水密性を保持する密閉空間３が形成されるように、かつ側方に偏倚させて装着したのち、流体管１の管壁に接続ケース２に連設した分岐口部４に接続された分岐管５に通水させるための連通孔６を、管軸の側方に偏心させて穿設する際に用いられる穿孔装置であり、以下に詳述するような構成となっている。なお、接続ケース２は公知であり、また本発明と直接関係しないので、その詳細な説明は省略する。
【００１９】
図１において、流体管１の管軸中心より側方に偏倚させて装着されている接続ケース２の上部開口端には、それと同軸をなす作業筒７が、軸線を流体管１の一側方に偏倚させ、かつ管軸と直交する上下方向を向いて固定されている。作業筒７内の軸線上には、想像線で示すように、下端に鋸歯状刃８ａを備える筒状カッター８が、接続ケース２内に向って昇降しうるように収容されており、筒状カッター８は、その中心軸線上の上端部にフランジ結合された回転軸９を、作業筒７の上部に取付けられた回転及び昇降装置（図示略）に連係することにより、回転させつつ昇降させることができる。筒状カッター８の外径は、流体管１における管軸よりも外側の管壁を切断しうる大きさとしてある。また２９は作業時に適宜開閉を行う開閉弁部である。
【００２０】
筒状カッター８内の中心には、案内杆１０が垂下固着され、その鋸歯状刃８ａの下端より若干突出する下端部に形成された上方が小径となったテーパ部１０ａには、円周方向の一部が切断されたＣ字形をなすとともに、下方が小径となった逆三角形断面の弾性係止リング１１が嵌着されている。
【００２１】
接続ケース２内の底部には、外径が筒状カッター８の内径よりも若干小径をなす円板状の受皿１２が、その下面中央に固着した支持軸１３を、接続ケース２の底部の保持孔１４内に遊嵌することにより、着脱可能として載置されている。
【００２２】
受皿１２の上面中央には、上記カッター８の案内杆１０が回転かつ挿脱可能として嵌合される案内筒１５の下端が、カッター８の回転中心と同軸をなして固着され、案内筒１５の下端と受皿１２の上面との間には、案内杆１０の下端部を収容しうる空間部１６が形成されている。
【００２３】
案内筒１５の上端寄りには、切断片引き出し用のブラケット１７が、筒状カッター８の回転移動軌跡よりも内方に位置して相対回転可能として外嵌され、案内筒１５の外周面に固着したリング状のストッパー１８により下方へ移動するのが阻止されている。ブラケット１７は、図２に示すように、流体管１の上方まで水平に延出する１対の支持片１７ａを備え、それらの先端部には、流体管１の管軸と直交する方向を向く長孔１９が形成されている。
【００２４】
各支持片１７ａの長孔１９には、吊支ボルト２０が長孔１９内を上下及び側方に移動可能として上下のナット２１により固定され、その下端には、真空吸引式の公知のサクションリフター２２がピン２３をもって回動可能に取付けられ、これらブラケット１７からピン２３までの部品で連結手段を構成している。サクションリフター２２は、その下部の吸着面が流体管１の外周面の側端寄りの上部に密着するようになっており、操作レバー２２ａを下向きに倒すことにより流体管１に吸着し、同じく引き上げることにより吸着が解除される。
【００２５】
次に、上記実施例の装置による穿孔要領について説明する。まず、受皿１２及びこれと一体をなす案内筒１５を支持軸１３を保持孔１４に遊嵌することにより、接続ケース２内にセットした後、穿孔しようとする流体管１に接続ケース２を装着する。
【００２６】
次いで、案内筒１５のストッパー１８上にサクションリフター２２を予め取付けておいたブラケット１７を回転自在に遊嵌し、各サクションリフター２２を切断しようとする流体管１の側端上部外周面に吸着させる。
【００２７】
次いで、接続ケース２の上端開口部に筒状カッター８が収容された作業筒７を取付け、その上端にカッター８の回転及び昇降装置を取付ける。
【００２８】
次いで、図１に示すように、想像線の位置にある筒状カッター８を回転させながら、徐々に下降させ、案内杆１０を案内筒１５に嵌合させて案内させつつ、流体管１の側端部の管壁を切断し、その後図１の実線で示すように案内杆１０の下端部に装着した弾性係止リング１１が、受皿１２上部の空間部１６内に突出して拡径するまで、さらに筒状カッター８を若干下降させる。
【００２９】
切断後において筒状カッター８を上昇させると、図４に示すように、案内杆１０の下端部の係止リング１１が案内筒１５の下端に当接して係止されることにより、受皿１２及び案内筒１５、ストッパー１８上に載置されたブラケット１７はカッター８と共に上昇し、サクションリフター２２に吸着されている切断片１ａが上方に引き出される。
【００３０】
最後に、開閉弁部２９の弁を閉塞して水の流出を防止するとともに、作業筒７をカッター８やその駆動装置と共に取外す。このため流体管１に穿設された連通孔６と分岐口部４とが連通し、流体を分岐管５側に分流させることができる。
【００３１】
以上説明したように、上記実施例においては、流体管１における切断部がサクションリフター２２等の固定手段により保持されているため、切断片１ａが切断終了直後に不安定となって、カッター８の回転により連れ回されて大きな異音を発したり、カッター８を干渉してこれを損傷させたりするのが防止される。
【００３２】
また、サクションリフター２２は、長孔１９により上下及び側方への位置が調節可能であり、かつピン２３を中心として回動可能であるため、流体管１の大きさに対応して保持位置を変えることができ、口径が大きく変化しない限りブラケット１７やこれを支持している案内筒１５等の寸法を変更する必要はない。しかも切断位置を変更するに際し、カッター８の径に対応して保持位置を適宜に調節することができる。
【００３３】
切断中の切粉の大半は、受皿１２上に落下して外部に排出し得るのでそれを除去する手間が省ける。
【００３４】
図５、図６には本発明の別の実施例が示されており、前述の第１実施例と相違する点は、ストッパー１８上のブラケット２７に係止リング２４が設けられており、さらにサクションリフター２２も係止リング２８が設けられている点、そしてワイヤー２５の両端に係脱リング２６が設けられている点であり、これらブラケット２７から係止リング２８までで連結手段を構成している。
【００３５】
このような構造であると、作業者はブラケット２７の係止リング２４と、サクションリフター２２の係止リング２８とを係脱リング２６により簡単に連結、解除できるとともに、種々の口径もしくは種々の断面形状の流体管１にサクションリフター２２をセットでき、また切断終了後に重力により、切断片１ａが筒状カッター８の中心方向、すなわち案内筒１５方向に引き寄せられるため、切断片１９が筒状カッター８の内側に衝突する危険が減少する。
【００３６】
本発明は、上記実施例に限定されるものではない。
【００３７】
例えば、実施例では真空吸引式のサクションリフター２２を用いているが、取外し可能なマグネットを用いることもできる。またワイヤー２５の先端を流体管１の切断部分に直接溶着し、これを固定手段としてもよく、さらに小ビス等を用いて固定手段にすることもできる。
【００３８】
案内杆１０が案内筒１５に嵌挿される際、案内杆１０の回転により案内筒１５も回転することも考えられるが、このような際には、ブラケット１７と案内筒１５との接触面にボールベアリング等を介設してもよい。
【００３９】
【発明の効果】
本発明によれば、次のような効果を得ることができる。
【００４０】
（ａ）切断片は吸着手段により保持されているので、従来のように切断直後にカッターの回転により連れ回されたり、カッターと干渉してこれを損傷させたりする恐れはない。また、切断片を安定的に保持して引出すことができる。
【００４１】
（ｂ）請求項２のようにすると、流体管の径や穿孔位置に応じて保持位置を適宜に調整することができる。
【００４２】
（ｃ）請求項３のようにすると、種々の口径、断面形状の流体管に固定手段を固定できる。
【００４３】
（ｄ）請求項４のようにすると、切断時の切粉は受皿に落下し、これを外部に取り出して排除しうるので、接続ケース内を清掃する手間が省ける。
【００４４】
（ｅ）請求項５のようにすると、切断時におけるカッターの回転力が連結手段に伝わらず、連結手段の破損を未然に防ぐことができる。
【００４５】
【図面の簡単な説明】
【図１】本発明の一実施例における切断終了時の状態を示す要部の縦断正面図である。
【図２】同じく図１におけるＩＩ−ＩＩ線に沿う要部の拡大横断平面図である。
【図３】同じく切断片引出し時を示す要部の縦断正面図である。
【図４】接続ケース取付部の概略横断平面図である。
【図５】本発明の第２実施例における縦断正面図である。
【図６】同じく図５におけるＩＩＩ−ＩＩＩ線に沿う要部の拡大横断面図である。
【図７】従来例を示す用部の縦断正面図である。
【符号の説明】
１          流体管
１ａ        切断片
２          接続ケース
３          密閉空間
４          分岐口部
５          分岐管
６          連通孔
７          作業筒
８          筒状カッター
８ａ        鋸歯状刃
９          回転軸
１０          案内杆
１０ａ        テーパ部
１１          弾性係止リング（係止手段）
１２          受皿
１３          支持軸
１４          保持孔
１５          案内筒
１６          空間部
１７          ブラケット（支持部材）
１７ａ        支持片
１８          ストッパー
１９          長孔
２０          吊支ボルト
２１          調整ナット
２２          サクションリフター（固定手段）
２２ａ        操作レバー
２３          ピン
２４          係止リング
２５          ワイヤー
２６          係脱リング
２７          ブラケット（支持部材）
２８          係止リング
２９          開閉弁部
【図１】
0003547218.tif 000002
【図２】
0003547218.tif 000003
【図３】
0003547218.tif 000004
【図４】
0003547218.tif 000005
【図５】
0003547218.tif 000006
【図６】
0003547218.tif 000007
【図７】
0003547218.tif 000008